(57)【要約】【課題】ウエブ材料１を巻取コア４または巻取軸に巻き付けるウエブ材料巻付装置において、ウエブ材料１を自動的に巻き付けることができ、構成が簡単であり、コストが低いようにする。【解決手段】クロスカットアーム１６が支点１７のまわりを揺動し、クロスカッタ１５によってウエブ材料１がクロスカットされ、巻取コア４または巻取軸とクロスカッタ１５間において、ニップローラ１８がウエブ材料１に係合し、ウエブ材料１が巻取コア４または巻取軸に押し付けられる。さらに、コロ２２がニップローラ１８のまわりを旋回し、ウエブ材料１に係合し、ウエブ材料１が巻取コア４または巻取軸に押し付けられる。【選択図】図２
2008273654.tif 000002
【特許請求の範囲】
【請求項１】
巻取コアまたは巻取軸が巻取位置に供給されたとき、ウエブ材料を前記巻取コアまたは巻取軸に巻き付けるウエブ材料巻付装置であって、
前記巻取コアまたは巻取軸に平行の支点のまわりを揺動し、前記巻取コアまたは巻取軸に接近するクロスカットアームと、
前記クロスカットアームの先端に設けられ、前記クロスカットアームが前記巻取コアまたは巻取軸に接近したとき、前記ウエブ材料をクロスカットするクロスカッタと、
前記クロスカットアームの先端に設けられ、前記クロスカットアームが前記巻取コアまたは巻取軸に接近したとき、前記巻取コアまたは巻取軸と前記クロスカッタ間において、前記ウエブ材料に係合し、前記ウエブ材料を前記巻取コアまたは巻取軸に押し付けるニップローラと、
前記クロスカットアームの先端に設けられ、前記ニップローラと前記クロスカッタ間に位置し、前記ウエブ材料のクロスカット後、前記ニップローラのまわりを旋回し、前記ウエブ材料に係合し、前記ウエブ材料を前記巻取コアまたは巻取軸に押し付けるコロとからなり、
前記ウエブ材料を前記ニップローラと前記巻取コアまたは巻取軸間にニップし、前記コロと前記巻取コアまたは巻取軸間にニップし、その後、駆動モータによって前記巻取コアまたは巻取軸を回転させ、前記ウエブ材料を前記巻取コアまたは巻取軸に巻き付けるようにしたことを特徴とするウエブ材料巻付装置。
【請求項２】
前記ウエブ材料を前記ニップローラと前記巻取コアまたは巻取軸間にニップし、前記コロと前記巻取コアまたは巻取軸間にニップし、その後、前記クロスカットアームを引き続き揺動させ、前記ニップローラおよび前記コロを前記巻取コアまたは巻取軸の外周面に沿って移動させ、前記ウエブ材料を前記巻取コアまたは巻取軸の外周面に沿って曲げ、その後、前記駆動モータによって前記巻取コアまたは巻取軸を回転させるようにしたことを特徴とする請求項１に記載の装置。
【発明の詳細な説明】
【技術分野】
【０００１】
この発明は、紙、プラスチックフィルムなどのウエブ材料を巻取コアまたは巻取軸に巻き取るウエブ材料巻取装置に関するものであり、特にそのウエブ材料を巻取コアまたは巻取軸に巻き付けるウエブ材料巻付装置に関するものである。
【背景技術】
【０００２】
たとえば、紙、プラスチックフィルムなどのウエブ材料をスリットするスリッタでは、普通、スリットされたウエブ材料が巻取位置に導かれ、巻取コアに巻き取られ、巻取後、その巻取製品が巻取位置から排出され、取り出される。さらに、次の巻取コアが巻取位置に供給され、ウエブ材料がそれに巻き付けられ、再度巻き取られる。巻取コアではなく、巻取軸が巻取位置に供給され、ウエブ材料が巻取軸に巻き付けられ、巻き取られることも多い。
【０００３】
巻取コアまたは巻取軸が巻取位置に供給されたとき、ウエブ材料を自動的に巻き付けることも可能である。たとえば、特許第３６２３０７１号公報（特許文献１）に記載されている装置では、サクションプレートによってウエブ材料が吸着され、その後、クロスカッタによってウエブ材料がクロスカットされる。さらに、ウエブ材料がコロと巻取コアまたは巻取軸間にニップされ、コロが巻取コアまたは巻取軸の外周面に沿って移動し、ウエブ材料が巻取コアまたは巻取軸に巻き付けられる。
【０００４】
しかしながら、同公報の装置の場合、その部品点数が多く、構成が複雑であり、コストが高いという問題がある。
【０００５】
したがって、この発明は、巻取コアまたは巻取軸が巻取位置に供給されたとき、ウエブ材料を巻取コアまたは巻取軸に巻き付けるウエブ材料巻付装置において、ウエブ材料が自動的に巻き付けられるようにすること、および構成が簡単であり、コストが低いようにすることを目的としてなされたものである。
【特許文献１】特許第３６２３０７１号公報
【発明の開示】
【０００６】
この発明によれば、クロスカッタがクロスカットアームの先端に設けられ、クロスカットアームが支点のまわりを揺動し、巻取コアまたは巻取軸に接近する。支点は巻取コアまたは巻取軸に平行である。そして、クロスカットアームが巻取コアまたは巻取軸に接近したとき、クロスカッタによってウエブ材料がクロスカットされる。さらに、ニップローラがクロスカットアームの先端に設けられ、クロスカットアームが巻取コアまたは巻取軸に接近したとき、巻取コアまたは巻取軸とクロスカッタ間において、ニップローラがウエブ材料に係合し、ウエブ材料が巻取コアまたは巻取軸に押し付けられる。さらに、コロがクロスカットアームの先端に設けられる。コロはニップローラとクロスカッタ間に位置する。さらに、ウエブ材料のクロスカット後、コロがニップローラのまわりを旋回し、ウエブ材料に係合し、ウエブ材料が巻取コアまたは巻取軸に押し付けられる。したがって、ウエブ材料がニップローラと巻取コアまたは巻取軸間にニップされ、コロと巻取コアまたは巻取軸間にニップされる。その後、駆動モータによって巻取コアまたは巻取軸が回転し、ウエブ材料が巻取コアまたは巻取軸に巻き付けられる。
【０００７】
好ましい実施例では、ウエブ材料のニップ後、クロスカットアームが引き続き揺動し、ニップローラおよびコロが巻取コアまたは巻取軸の外周面に沿って移動し、ウエブ材料が巻取コアまたは巻取軸の外周面に沿って曲げられる。その後、駆動モータによって巻取コアまたは巻取軸が回転する。
【発明を実施するための最良の形態】
【０００８】
以下、この発明の実施例を説明する。
【０００９】
図１はこの発明にかかるウエブ材料巻取装置を示す。この装置はスリッタの付属装置であり、紙、プラスチックフィルムなどのウエブ材料１のスリット後、そのウエブ材料１がガイドローラ２を通り、巻取位置３に導かれ、巻取コア４または巻取軸に巻き取られることは特許第３６２３０７１号公報の装置と同様である。この実施例では、複数の巻取コア４が巻取位置３に供給され、同心に配置され、駆動モータによって巻取コア４が回転し、スリットされたウエブ材料１が個別に巻き取られる。巻取コア４は時計方向に回転し、ウエブ材料１はその方向に巻き取られる。
【００１０】
さらに、図２に示すように、タッチローラ５がレバー６の先端に取り付けられ、シリンダ７がレバー６に連結されており、ウエブ材料１が巻取コア４に巻き取られるとき、シリンダ７がレバー６に作用し、レバー６が支点８のまわりを揺動し、巻取コア４上において、タッチローラ５がウエブ材料１に接触する。したがって、タッチローラ５とウエブ材料１間に接圧が生じ、ウエブ材料１が的確に巻き取られる。タッチローラ５は巻取コア４に連動し、反時計方向に回転する。さらに、ガイドローラ２、レバー６およびシリンダ７が支持アーム９に取り付けられ、支持されており、ウエブ材料１の巻径の増大にともない、支持アーム９が支点１０のまわりを揺動し、下降し、巻取コア４から後退し、これによって巻径の増大が許容される。この実施例では、支持アーム９の駆動機構に駆動モータが使用され、支軸１０によって支点が構成され、支持アーム９が支軸１０に固定され、駆動モータおよび減速機が支軸１０に連結されており、駆動モータおよび減速機によって支持アーム９が駆動され、揺動する。
【００１１】
さらに、ウエブ材料１の巻取後、その巻取製品１１が巻取位置３から排出され、取り出される。この装置はタレット式のもので、巻取コア４および巻取製品１１がタレット台１２に支持され、巻取後、支持アーム９が支点１０のまわりを揺動し、下降し、巻取製品１１から後退する。その後、中心軸１３のまわりにおいて、タレット台１２が時計方向に回転し、巻取製品１１は巻取位置３から排出され、取出位置１４に旋回し、取り出される。さらに、巻取製品１１が取出位置１４に旋回するとき、テンションによってウエブ材料１が繰り出され、ウエブ材料１はガイドローラ２を通り、巻取製品１１に導かれる。さらに、次の巻取コア４がタレット台１２に支持され、巻取製品１１の旋回と同時に、次の巻取コア４が巻取位置３に旋回し、供給される。したがって、ガイドローラ２と巻取製品１１間において、次の巻取コア４がウエブ材料１に係合する。ウエブ材料１に係合するとき、巻取コア４は下側から係合する。その後、支持アーム９が支点１０のまわりを揺動し、上昇し、巻取コア４に接近する。さらに、シリンダ７がレバー６に作用し、レバー６が支点８のまわりを揺動し、タッチローラ５が巻取コア４に接触する。
【００１２】
さらに、巻取コア４が巻取位置３に供給されたとき、ウエブ材料１を巻取コア４に巻き付ける必要があり、その目的でウエブ材料巻付装置が使用される。巻付装置はウエブ材料１をクロスカットするクロスカッタ１５を有し、クロスカッタ１５はクロスカットアーム１６の先端に設けられ、固定されている。クロスカットアーム１６は支点１７のまわりを揺動可能であり、巻取コア４およびウエブ材料１の上方に配置されている。したがって、クロスカッタ１５もウエブ材料１の上方に配置される。支点１７は巻取コア４に平行である。さらに、この実施例では、クロスカットアーム１６の駆動機構に駆動モータが使用され、支軸１７によって支点が構成され、クロスカットアーム１６が支軸１７に固定され、駆動モータおよび減速機が支軸１７に連結されており、支軸１７は巻取コア４に平行にのびる。したがって、駆動モータおよび減速機によってクロスカットアーム１６を揺動させ、下降させ、これを巻取コア４およびウエブ材料１に接近させることができる。
【００１３】
さらに、ニップローラ１８が巻取コア４およびウエブ材料１の上方に配置され、クロスカットアーム１６の先端に設けられている。ニップローラ１８は巻取コア４に平行にのびる。この実施例では、補助アーム１９がクロスカットアーム１６の先端に取り付けられ、ニップローラ１８は補助アーム１９の先端に取り付けられ、回転可能に支持されている。補助アーム１９はピン２０のまわりを揺動可能である。ピン２０も巻取コア４に平行である。さらに、補助アーム１９の駆動機構にシリンダ２１が使用され、シリンダ２１がクロスカットアーム１６に取り付けられ、補助アーム１９に連結されており、シリンダ２１によって補助アーム１９を揺動させることができる。
【００１４】
さらに、コロ２２がウエブ材料１の上方に配置され、クロスカットアーム１６の先端に設けられている。コロ２２は巻取コア４に平行にのび、ニップローラ１８のまわりを旋回する。この実施例では、コロアーム２３が補助アーム１９の先端に取り付けられ、コロ２２はコロアーム２３の先端に取り付けられ、回転可能に支持されている。コロアーム２３は支点２４のまわりを揺動可能である。支点２４は巻取コア４に平行である。さらに、コロアーム２３の駆動機構にシリンダ２５およびチェーン２６が使用され、支軸２４によって支点が構成され、コロアーム２３が支軸２４に固定され、スプロケット２７が支軸２４と一体化され、スプロケット２７および支軸２４はニップローラ１８と同心に配置され、回転可能に支持されている。さらに、チェーン２６がスプロケット２７に係合し、シリンダ２５がクロスカットアーム１６に取り付けられ、チェーン２６に連結されており、シリンダ２５およびチェーン２６によってスプロケット２７および支軸２４を回転させ、コロアーム２３を揺動させることができ、コロ２２をニップローラ１８のまわりに旋回させることができる。
【００１５】
さらに、制御装置がクロスカットアーム１６の駆動モータ、補助アーム１９のシリンダ２１およびコロアーム２３のシリンダ２５に接続されており、制御装置によって駆動モータおよびシリンダ２１，２５が制御される。
【００１６】
そして、巻取コア４が巻取位置３に供給されたとき、制御装置、駆動モータおよび減速機によってクロスカットアーム１６が駆動され、揺動する。クロスカットアーム１６は支軸１７のまわりを揺動し、下降し、巻取コア４およびウエブ材料１に接近する。さらに、クロスカットアーム１６が巻取コア４およびウエブ材料１に接近したとき、巻取コア４と巻取製品１１間において、クロスカッタ１５がウエブ材料１に接触し、クロスカッタ１５によってウエブ材料１がクロスカットされる。
【００１７】
さらに、クロスカットアーム１６が巻取コア４およびウエブ材料１に接近したとき、ウエブ材料１のクロスカット前、巻取コア４とクロスカッタ１５間において、ニップローラ１８がウエブ材料１に係合する。さらに、制御装置およびシリンダ２１によって補助アーム１９が揺動し、ニップローラ１８が巻取コア４に向かって移動し、ウエブ材料１が巻取コア４に押し付けられる。したがって、ウエブ材料１がニップローラ１８と巻取コア４間にニップされる。その後、クロスカットアーム１６が引き続き揺動し、下降し、クロスカッタ１５がウエブ材料１に接触し、クロスカッタ１５によってウエブ材料１がクロスカットされるものである。
【００１８】
さらに、ウエブ材料１のクロスカット後、制御装置、シリンダ２５およびチェーン２６によってスプロケット２７および支軸２４が回転し、コロアーム２３が時計方向に揺動する。したがって、コロ２２がニップローラ１８のまわりを旋回し、ウエブ材料１に係合し、ウエブ材料１が巻取コア４に押し付けられる。したがって、ニップローラ１８とガイドローラ２間において、ウエブ材料１がコロ２２と巻取コア４間にニップされる。
【００１９】
さらに、ウエブ材料１がニップローラ１８と巻取コア４間にニップされ、コロ２２と巻取コア４間にニップされることは前述したとおりであるが、その後、クロスカットアーム１６が引き続き揺動し、下降する。したがって、図３に示すように、ニップローラ１８およびコロ２２が巻取コア４の外周面に沿って移動し、ガイドローラ２およびタッチローラ５に接近し、ウエブ材料１が巻取コア４の外周面に沿って曲げられ、その状態に保たれる。
【００２０】
その後、駆動モータによって巻取コア４が駆動され、回転する。巻取コア４は時計方向に回転し、ニップローラ１８およびコロ２２は巻取コア４に連動し、反時計方向に回転する。したがって、ウエブ材料１がニップローラ１８およびコロ２２に案内され、巻取コア４に巻き付けられる。
【００２１】
その後、ウエブ材料１が巻取コア４に巻き取られる。さらに、巻き取られているとき、駆動モータおよび減速機によってクロスカットアーム１６が揺動し、上昇する。これと同時に、シリンダ２５およびチェーン２６によってコロアーム２３が揺動し、コロ２２がもとの位置に復帰する。
【００２２】
したがって、この装置の場合、巻取コア４が巻取位置３に供給されたとき、ウエブ材料１を自動的に巻き付けることができる。さらに、ウエブ材料１をニップローラ１８と巻取コア４間にニップし、コロ２２と巻取コア４間にニップすることができ、ニップローラ１８およびコロ２２によってウエブ材料１を案内し、これを確実に巻き付けることができる。しかも、特許第３６２３０７１号公報の装置と比較すると、部品点数が少なく、構成が簡単であり、コストは低い。
【００２３】
なお、巻取コア４ではなく、巻取軸を巻取位置３に供給するようにしてもよい。この場合、クロスカットアーム１６が巻取軸に接近し、接近したとき、クロスカッタ１５によってウエブ材料１がクロスカットされる。さらに、ウエブ材料１がニップローラ１８と巻取軸間にニップされ、コロ２２と巻取軸間にニップされる。その後、駆動モータによって巻取軸が回転し、ウエブ材料１が巻取軸に巻き付けられる。
【図面の簡単な説明】
【００２４】
【図１】この発明の実施例を示す側面図である。
【図２】図１のウエブ材料巻付装置の側面図である。
【図３】図２のニップローラおよびコロが移動した状態を示す側面図である。
【符号の説明】
【００２５】
１  ウエブ材料
３  巻取位置
４  巻取コア
１５  クロスカッタ
１６  クロスカットアーム
１７  支点
１８  ニップローラ
２２  コロ
【図１】
2008273654.tif 000003
【図２】
2008273654.tif 000004
【図３】
2008273654.tif 000005